(57)【要約】【課題】窓枠体に照明具が取り付けられた構造において、新たに熱源を設けなくても、窓の屋外側の面近傍を暖めることができる照明付き窓枠を提供する。【解決手段】下枠部４を有し窓２が取り付けられる窓枠体３と、この窓枠体３に設けられた照明具６とを備えている。下枠部４は、屋外側に設けられ前記照明具６から生じた熱を放熱する放熱部４３を有している。【選択図】図１
2014134052.tif 000002
【特許請求の範囲】
【請求項１】
上枠部、下枠部および側枠部を有し窓が取り付けられる窓枠体と、
この窓枠体に設けられた照明具と
を備え、
前記下枠部は、屋外側に設けられ前記照明具から生じた熱を放熱する放熱部を有している
ことを特徴とする照明付き窓枠。
【発明の詳細な説明】
【技術分野】
【０００１】
本発明は、照明付き窓枠に関する。
【背景技術】
【０００２】
特許文献１には従来の照明付き窓枠が開示されている。この特許文献１記載の照明付内装窓は、窓台と、左右両側および上端を囲む三方枠とを備えている。窓台には照明ユニットが内装されている。
【０００３】
窓台と三方枠とで囲まれた枠内には、ガラス板等からなる面板が取り付けられる。窓台に設けられた照明ユニットは、面板に向かって光を発するよう構成されている。
【先行技術文献】
【特許文献】
【０００４】
【特許文献１】特開２００７−３１５０７３号公報
【発明の概要】
【発明が解決しようとする課題】
【０００５】
ところで、この種の窓は、外気に直接触れるため、冬季等のように外気温が低い場合には、室内においても窓の近傍が冷やされてしまう。このとき、冷やされた空気が窓に沿って下降して気流が発生する、いわゆるコールドドラフト現象が生じ、居住者に不快感を与えることがある。
【０００６】
特許文献１記載の照明付内装窓は、窓枠に照明ユニットが設けられており、照明ユニットから熱が生ずるが、照明ユニットから生じた熱を放熱する構造を有していない。このため、特許文献１記載の照明付内装窓の構造では、窓の屋外側の面近傍の空気を暖めることができるものではなかった。
【０００７】
本発明は、上記事情に鑑みてなされたものであり、その目的とするところは、窓枠体に照明具が取り付けられた構造において、新たに熱源を設けなくても、窓の屋外側の面近傍を暖めることができる照明付き窓枠を提供することにある。
【課題を解決するための手段】
【０００８】
本発明の照明付き窓枠は、上枠部、下枠部および側枠部を有し窓が組み込まれる窓枠体と、この窓枠体に設けられた照明具とを備え、前記下枠部は、屋外側に設けられ前記照明具から生じた熱を放熱する放熱部を有していることを特徴とする。
【発明の効果】
【０００９】
本発明の照明付き窓枠によれば、窓枠体に照明具が取り付けられた構造において、新たに熱源を設けなくても、窓の屋外側の面近傍を暖めることができる。
【図面の簡単な説明】
【００１０】
【図１】本実施形態の照明付き窓枠の概略断面図である。
【発明を実施するための形態】
【００１１】
以下、本発明の実施形態について添付図面に基づいて説明する。
【００１２】
本実施形態の照明付き窓枠は、建物の外壁１の開口部１１に取り付けられる。照明付き窓枠には、窓２が取り付けられる。窓２は、ガラス板やアクリル板等からなる透明な面板と、面板の外周部の縁材とにより構成される。照明付き窓枠は、窓枠体３と、照明具６とを備えている。
【００１３】
建物の外壁１に設けられた開口部１１は、内側開口１２と、外側開口１５とを有している。内側開口１２は屋内側に開口する。内側開口１２は、窓台１３と、まぐさ１４と、管柱（図示せず）とで囲まれた正面視矩形状の開口により構成される。また、外側開口１５は、屋外側に向かって開口する。外側開口１５は、外装材１６の縁部で形成された正面視矩形状の開口により構成される。内側開口１２と外側開口１５とは連通している。
【００１４】
窓枠体３は、正面視矩形枠状に形成されている。窓枠体３は、上枠部３１と、下枠部４と、側枠部３５とを備えている。窓枠体３は、内側開口１２から外側開口１５までの全長に亙った幅を有している。窓枠体３は、開口部１１の開口周縁に沿った形状に形成されている。窓枠体３は、上枠部３１と下枠部４と側枠部３５とが枠状に組み立てられることで、角筒状に形成されている。
【００１５】
窓枠体３には、窓２が取り付けられる窓保持部３２が設けられている。窓保持部３２は、窓２を水平方向にスライド移動自在に保持する。窓保持部３２は、上枠部３１に設けられた上レール部３３と、下枠部４に設けられた下レール部３４とを備えている。
【００１６】
なお、窓保持部３２は、窓２がスライド移動自在に形成されたものでなくてもよく、いわゆる嵌め殺し状態で保持するものであってもよい。
【００１７】
下枠部４は、上面部４１と、下面部４２とを備えている。上面部４１と下面部４２とは上下方向に離間している。下枠部４の上面部４１は、熱伝導性の高い材料で形成されている。ここで言う、熱伝導性の高い材料としては、例えば、アルミが挙げられる。下枠部４の屋内側の端部には、上述の下レール部３４が設けられている。また、下枠部４の屋外側の端部には、放熱部４３が設けられている。
【００１８】
なお、上面部４１だけが熱伝導性の高い材料であってもよいし、下枠部４の全てが熱伝導性の高い材料であってもよい。
【００１９】
放熱部４３には、上面部４１と下面部４２との間に照明具６が内装されている。放熱部４３は、照明具６から生じた熱を放熱するものである。放熱部４３は、下枠部４の左右方向の全長に亙って設けられている。
【００２０】
放熱部４３は、伝熱板４４と、連結部４５とを備えている。伝熱板４４は、照明取付部４６と、照明取付部４６から上方に向かって立設された立上部４７と、立上部４７の上端から水平方向に鍔状に突出した接続部４８とを備えている。照明取付部４６には、照明具６が取り付けられる。照明取付部４６は、照明具６が取り付けられた状態で、照明具６の発熱部６１に接触する。照明取付部４６と立上部４７と接続部４８とは、例えば、金属板を曲げ加工することで形成されている。
【００２１】
連結部４５は、接続部４８と上面部４１とを相互に連結する。連結部４５は、例えば、ハニカム構造体等の多孔体や、フィンにより構成されている。連結部４５は、熱伝導性の高い材料で形成されている。連結部４５は、例えば、アルミにより構成される。連結部４５は、接続部４８と上面部４１とを熱的に接続する。
【００２２】
下枠部４の上面部４１には、照明具６から発せられた光が透過する透過窓４９が設けられている。透過窓４９には透明板が嵌め込まれている。透過窓４９は、照明具６に対応する位置に設けられている。
【００２３】
照明具６は、光源（図示せず）と筐体６３とを備えている。筐体６３は、発熱部６１を有している。発熱部６１は、照明具６を使用すると、発熱する部分である。発熱部６１は、一箇所であってもよいし、複数箇所に分散していてもよい。照明具６の光源としては、ＬＥＤや、白熱電球や、蛍光灯等が用いられてもよく、特に限定されない。
【００２４】
照明具６は、上方に向かって発光するよう取り付けられる。照明具６は、上述のように、下枠部４の内部に収容配置されており、これにより、窓枠体３に設けられている。照明具６は、下枠部４の左右方向に沿って複数箇所に設けられている。照明具６は、照明取付部４６に接触状態で取り付けられる。照明具６は、例えば、白熱電球や、蛍光灯であれば、配線６２を介して家庭用の電源に電気的に接続され、これにより電力の供給を受ける。照明取付部４６には貫通孔４６１が設けられている。また、下面部４２には挿通孔４２１が設けられている。配線６２は、貫通孔４６１および挿通孔４２１に挿通されて、下枠部４の外側に取り出される。
【００２５】
照明具６が光を発すると、その光は、上枠部３１に向かって照射される。照明具６が長時間、光を照射し続けると、照明具６の発熱部６１が発熱する。照明具６から発生した熱は、伝熱板４４を介して連結部４５に伝導し、下枠部４の上面部４１に伝導する。これにより、下枠部４の上面部４１は温度上昇する。下枠部４の上面部４１は、上面部４１の上方の空気（窓２の屋外側の面近傍の空気）と熱交換を行い、窓２の屋外側の面近傍の空気を温度上昇させる。
【００２６】
以上説明したように、本実施形態の照明付き窓枠は、窓枠体３と、照明具６とを備えている。窓枠体３は、上枠部３１、下枠部４および側枠部３５を有しており、窓２が取り付けられるものである。また照明具６は、この窓枠体３に設けられている。そして、下枠部４は、放熱部４３を有している。この放熱部４３は、窓２よりも屋外側に設けられ、照明具６から生じた熱を放熱するものである。
【００２７】
このため、本実施形態の照明付き窓枠によれば、照明具６を発光させることで発生する熱を利用して、窓２の屋外側の空気を暖めることができる。従来の照明付き窓枠は、照明具６から生じた熱を利用するものではなかったが、本実施形態の照明付き窓枠によれば、従来廃棄していた熱を利用することができるため、エネルギーを効率よく使用することができる。これにより、別途、ヒーター等のような熱源を設けなくても、窓２の屋外側の面近傍の空気を暖めることができる。この結果、冬季のコールドドラフト現象を緩和することができ、また、結露の発生を抑制することもできる。
【符号の説明】
【００２８】
１      外壁
１１    開口部
１２    内側開口
１３    窓台
１４    まぐさ
１５    外側開口
１６    外装材
２      窓
３      窓枠体
３１    上枠部
３２    窓保持部
３３    上レール部
３４    下レール部
３５    側枠部
４      下枠部
４１    上面部
４２    下面部
４２１  挿通孔
４３    放熱部
４４    伝熱板
４５    連結部
４６    照明取付部
４６１  貫通孔
４７    立上部
４８    接続部
４９    透過窓
６      照明具
６１    発熱部
６２    配線
【図１】
2014134052.tif 000003